(57)【特許請求の範囲】
【請求項１】
外面に設けられ液体を湛えた所定サイズの凹部と、当該凹部に脱着自在に嵌込み固定され前記凹部に湛えられた液体により浮力を得る広告媒体とを具備し、
前記凹部と前記広告媒体とが互いの嵌合面に磁石を備えて、当該磁石の磁力をもって広告媒体のマンホール蓋凹部内での回転ずれを補正することで一定の広告表示方向を維持することを特徴とした、広告機能を備えたマンホール蓋。
【請求項２】
前記広告媒体がネオン管装置、ホログラム画像、液晶画像、ＬＥＤ発光装置、ブラウン管装置のいずれか、またはそれらの組合せであることを特徴とする請求項１に記載の広告機能を備えたマンホール蓋。
【請求項３】
前記広告媒体が時計表示機能を備えたことを特徴とする請求項１または２に記載の広告機能を備えたマンホール蓋。
【請求項４】
前記広告媒体が芳香発散装置および音声発生装置のいずれか、またはそれらの組合せであることを特徴とする請求項１〜３のいずれかに記載の広告機能を備えたマンホール蓋。
【請求項５】
センサーにより人や物体の接近や接触を感知し、その機に応じて前記広告媒体を機能させて広告訴求を実行することを特徴とする請求項１〜４のいずれかに記載の広告機能を備えたマンホール蓋。
【発明の詳細な説明】
【０００１】
【発明の属する技術分野】
本発明は広告機能を備えたマンホール蓋に関する。
【０００２】
【従来の技術】
主に暗渠式下水道などで作業員が路面から出入りするために地表に作られた穴をマンホールといい、路面上での開口部には鉄製の蓋がはめ込まれている。このマンホール蓋は都市域の拡大や上下水道普及が進むにつれ、設置箇所も飛躍的に増大し、人々の日常にすっかり溶け込んだ生活風景の一部ともなっている。そんな中で地方自治体や各種団体、ならびに企業などが自らの理念や経営思想、象徴されるイメージなどを図案化し、地方自治体のマーク、標語、歴史道標などといったデザインとして路面やマンホール蓋の表面に施すことを考えるようになった。いわゆるデザイン鉄蓋、カラーデザイン鉄蓋、化粧鉄蓋などとよばれるマンホール蓋がその結果物である。これらのマンホール蓋におけるデザインは、そのデザインに応じた鋳型を予め作成しておき、例えばセラミック粉末等をもって着色を施したマンホール蓋として一体に形成するものであった。
【０００３】
【発明が解決しようとする課題】
しかしながら、従来のマンホール蓋は次に述べるような課題を有していた。すなわち、マンホール蓋をデザイン化し使用するクライアントごとに、あるいは更にそのデザインコンセプトごとに鋳型を個別作成しなければならず、デザイン化されたマンホール蓋の製作コストは、一般のマンホール蓋と比して必然的にかなり高いものとなっていた。しかも、一度高価な鋳型を作成した後では簡単にデザインの変更を行うわけにも行かず、経年によるデザインの陳腐化やイメージインパクトの希釈化は避けがたいものとなっていた。加えて、細かいニュアンスや豊かな色彩を表現することは、従来マンホール蓋の材質や構造では到底難しく、商業的に本格的な広告表現を行うことなど叶わずあくまでも補助的な広告機能しか発揮しえなかった。
【０００４】
そこで、本発明はこのような従来の課題に着目してなされたもので、低廉な製作コストのもと効果的な広告機能を確実に発揮可能であり、広告媒体の差し替えも随意可能なマンホール蓋を提供するものである。
【０００５】
【課題を解決するための手段】
上記課題を解決する本発明の広告機能を備えたマンホール蓋は、外面に設けられ液体を湛えた所定サイズの凹部と、当該凹部に脱着自在に嵌込み固定され前記凹部に湛えられた液体により浮力を得る広告媒体とを具備し、前記凹部と前記広告媒体とが互いの嵌合面に磁石を備えて、当該磁石の磁力をもって広告媒体のマンホール蓋凹部内での回転ずれを補正することで一定の広告表示方向を維持することを特徴とする。
【０００６】
また、前記広告機能を備えたマンホール蓋において、前記広告媒体がネオン管装置、ホログラム画像、液晶画像、ＬＥＤ発光装置、ブラウン管装置のいずれか、またはそれらの組合せであるとしてもよい。
【０００７】
また、前記広告機能を備えたマンホール蓋において、前記広告媒体が時計表示機能を備えるとしてもよい。
【０００８】
また、前記広告機能を備えたマンホール蓋において、前記広告媒体が芳香発散装置および音声発生装置のいずれか、またはそれらの組合せであるとしてもよい。
【０００９】
また、前記広告機能を備えたマンホール蓋において、センサーにより人や物体の接近や接触を感知し、その機に応じて前記広告媒体を機能させて広告訴求を実行するとしてもよい。
【００１３】
【発明の実施の形態】
以下、本発明の好ましい実施の形態につき、添付図面を参照して詳細に説明する。通勤、通学、買い物、はたまた散歩といかなる外出場面においても人は多少なりとも歩く。この歩行者の目線は無意識のうちに足下付近に向けられることが多いとの調査結果があり、人は必然的に歩行時間中の何割かは路面を眺めていることになる。この路面で一定間隔をおいて連続的に目に付くのはマンホール蓋であり、当該マンホール蓋に広告機能を果たすような位置づけを行えば、確実な宣伝広告効果をあげられると考えられる。歩行者を消費者としてとらえれば、押しつけではない宣伝広告が繰り返し繰り返し施され、その商品等の購買意欲を維持させ続けることにもつながるのである。かかるポイントを主にふまえつつ本発明のマンホール蓋について述べる。
【００１４】
図１は本発明の広告機能を備えたマンホール蓋（円形）を示す説明図であり、（ａ）は斜視図、（ｂ）は断面図である。ここではある企業が自社のサービスや商品の宣伝広告を実施するために、特定エリア、例えば自社ビルやターミナル駅の周辺の路面に存在するマンホール蓋を一括して広告利用した場合を想定する。広告内容が例えばホテルの宣伝広告であるとすれば、図１の如きマンホール蓋１０が考えられる。本実施例においてこのマンホール蓋１０に嵌込み固定される広告媒体２０は、新しい宿泊プランを表す宣伝文句などの文字表示を行うネオン管装置と、その背景となるホログラム画像（図中ではホテル外観）とから構成される。なお、このネオン管装置とホログラム画像とが一体化され薄板状に組み立てられた広告媒体２０は、マンホール蓋１０の凹部１１内に満たされた液体１２中に浮いた状態におかれ、凹部開口にはめ込まれた透明板１３でもって路面荷重や衝撃から遮られ保護されている。
【００１５】
このようなマンホール蓋１０の構造により、前記広告媒体２０はマンホール蓋１０自体の回転によらず一定方向での表示位置を維持することが可能となる。つまり、路面荷重や衝撃が積み重なって次第にマンホール蓋１０がマンホール蓋枠３０内で回転したとしても、凹部液体１２中の広告媒体２０は慣性をもって当初位置に留まるのである。加えて、マンホール蓋枠３０とそれに嵌合するマンホール蓋１０とが互いの嵌合面に磁石Ｍを備え、当該磁石Ｍの磁力をもってマンホール蓋１０のマンホール蓋枠３０内での回転ずれを補正することとすれば、より一層、一定の広告表示方向を維持することができる。更に、図に示すように、広告媒体２０とマンホール蓋１０とがその嵌合面に磁石Ｍを備えれば、この広告表示方向維持の観点からより好適である。磁石Ｍの極性配置や配置数などはマンホール蓋１０や広告媒体２０のサイズや形状、重量等に応じて適宜定められる。
【００１６】
上記のマンホール蓋１０がより高い宣伝広告効果を発揮するために、感応センサー（例えば人車に対応）を備えていればより好適である。この感応センサーにより人や物体の接近や接触を感知したマンホール蓋１０は、その機に応じて前記広告媒体２０における例えばネオン管を発光させて広告訴求を実行する。マンホール蓋１０を眺める訴求対象にのみ広告機能を発揮させることで１対１の個別広告的な好イメージを消費者に植え付ける一方、機能するためにエネルギーを要する広告媒体２０のエネルギー消費を抑制し結果的には稼動回数を減じて機能寿命を延長することにもなる。広告媒体２０がアナウンスボイスやイメージ音楽を流す音声発生装置を備えている場合、このような感応センサーの働きは特に有効な訴求手段となりうる。
【００１７】
図２は本発明の広告機能を備えたマンホール蓋４０（矩形）を示す説明図であり、（ａ）は斜視図、（ｂ）は断面図である。マンホール蓋４０が矩形の場合には、広告媒体５０の広告表示方向がずれていくことは考えにくいため、この図では上述のように凹部に液体を満たし、磁石を配して位置補正を行う構成は表していない。勿論、必要に応じてそのような構成としてもなんら問題はない。ここでも、広告媒体５０としてはネオン管装置等が考えられるが、（マンホール蓋の形状に関わりなく）他の視覚的な広告媒体としては、ホログラム画像、液晶画像、ＬＥＤ発光装置、ブラウン管装置のいずれか、またはそれらの組合せ物を適用することもできる。また、これら広告媒体に時計表示機能を備えることとしても好適である。
【００１８】
宣伝広告を行う企業等のクライアントが例えば、香水や化粧品を扱う業種、飲食物を扱う業種、もしくは森林浴をうりにした市町村等であるとすれば、広告媒体から芳香が発散される仕組みを付加しておけば広告効果は倍加すると考えられる。よって、本発明のマンホール蓋においては、上記の視覚や聴覚のみならず人間の嗅覚に訴える広告媒体も備える。上記の感応センサーと同期した機能を発揮すればより効果的な訴求効果を得られるはずである。
【００１９】
なお、上述した本発明の各種広告媒体２０、５０は、マンホール蓋１０、４０の凹部１１、４１から脱着自在に嵌込み固定することがいずれも可能なものである。また、音声発生装置および方向発散装置を備えた広告媒体においては、音声データや芳香物の入れ替えを行うことで広告媒体の差し替えに代えることも可能である。
【００２０】
また、本発明の適用範囲は、利潤を追求した企業広告だけにとどまらず、例えば学校教育現場において広告媒体に動植物や鉱物等の名称や各種公式を付してイメージ学習に適用したり、あるいは歴史的な事象やその年号を付すなど様々な教育用途にも用いることができる。更には、福祉の分野においても、視覚障害者に対する音声指標を構成したり、聴覚障害者に対する視覚指標を構成したりすることも可能であり、誠にその適用範囲は広いといえる。
【００２１】
【発明の効果】
以上詳細に説明したように、本発明の広告機能を備えたマンホール蓋によれば、マンホール蓋をデザイン化し使用するクライアントごとに、あるいは更にそのデザインコンセプトごとに鋳型を個別作成する必要は無くなり、従来の高い製作コストを大幅に抑制することが可能となった。しかも、何度でも簡単にデザインの変更を行うことが容易であり、常に新鮮なデザインを広告物として提供し続けてイメージインパクトの希釈化を避けることにもつながるのである。
【００２２】
加えて、視覚、聴覚、嗅覚といった人間の基本的な感覚に訴えかけるべく、細かいニュアンスや豊かな色彩等を表現する様々な広告媒体を採用することができるため、商業的に本格的な広告表現を行えることとなる。その広告表現の表示方向も適正な向きに維持し続けることが可能であるから、より一層の訴求効果向上が望める。
【００２３】
しかして、低廉な製作コストのもと効果的な広告機能を確実に発揮可能であり、広告媒体の差し替えも随意可能な広告機能を備えたマンホール蓋を提供可能となる。
【図面の簡単な説明】
【図１】本発明の広告機能を備えたマンホール蓋（円形）を示す説明図であり、（ａ）は斜視図、（ｂ）は断面図である。
【図２】本発明の広告機能を備えたマンホール蓋（矩形）を示す説明図であり、（ａ）は斜視図、（ｂ）は断面図である。
【符号の説明】
１０  マンホール蓋
１１  凹部
２０  広告媒体
【図２】
0004533529.tif 000002
【図１】
0004533529.tif 000003